(57)【要約】【課題】作業性良好であるとともに支柱高さの均一性を容易に得られる菜園用支柱を提供する。【解決手段】剛性を有する任意素材にて略半円形状の湾曲棒体を形成するとともに、該棒体両端部に当接部を設け、湾曲棒体上部中央から下方に向かう中央棒体を設けるとともに、中央棒体下端を当接部位置より下方に位置させたことを特徴とする。【選択図】      図８
2004248651.tif 000002
【特許請求の範囲】
【請求項１】
剛性を有する任意素材にて略半円形状の湾曲棒体を形成するとともに、該棒体両端部に当接部を設け、湾曲棒体上部中央から下方に向かう中央棒体を設けるとともに、中央棒体下端を当接部位置より下方に位置させたことを特徴とする菜園用支柱。
【発明の詳細な説明】
【０００１】
【発明の属する技術分野】
この発明は、畑や菜園で農作物を育成するときに、外気温低下による霜の害から作物を守る場合に使用する菜園用の支柱に関する。
【０００２】
【従来の技術】
従来より、畑や菜園にて作物を育成するときに、霜の害を防ぐために作物に沿ってアーチ型の支柱を連設し、この支柱上面をビニールシートや不織布にて覆う方法がとられている。この支柱は棒体を略半円形状に湾曲させたものが多用され、本発明にて示すように、半円形状棒体の中央に土中差込用の棒体を付加させたものは見当たらない。
【０００３】
【発明が解決しようとする課題】
前記したように、従来の菜園用支柱は単に棒体を略半円形状に形成したもので、その棒体の両端間に作物を位置させて土中に両端を差し込んで使用するものである。土中に差し込むときは通常は支柱端部の片方をまず差し込み、次ぎに他端を差し込んで土中に支柱を固定する。
このとき、支柱端部近傍を手でもって差し込むために、腰をかがめて行わねばならず手間と時間がかかる。棒体の上部中心を手で押す方法も考えられるが、棒端に加わる押圧力が弱くなる上に、棒体の太さによっては押圧により棒体が撓んで棒体の両端間距離が大きくなることもあって十分な差込ができない。
さらに、従来の支柱形状では押し加減にて地中への入り込みが変化するので、均一な差込深さが得にくいものであった。この支柱セット作業時は上記のように、１本の支柱をその片方ごとに差し込むので差し込む前の多数本の支柱を一度地面に置かなければならず、作業性が悪いという問題があった。
本発明は、以上のような従来からの菜園用支柱に関わる課題を解決するために発明されたもので、差込用棒体部分を付加することにより、作業性に富むとともに均一な差込深さを得ることのできる新規な菜園用支柱を提供することを目的として開発されたものである。
【０００４】
【課題を解決するための手段】
課題を解決する手段として本発明は、土中に差し込む部分としての中央棒体を湾曲棒体に付加させてその主要部を構成した。
すなわち、剛性を有する任意素材にて略半円形状の湾曲棒体を形成するとともに、該棒体両端部に当接部を設け、湾曲棒体上部中央から下方に向かう中央棒体を設けるとともに、中央棒体下端を当接部位置より下方に位置させる。
本発明は以上の構成よりなる菜園用支柱である。
【０００５】
【実施例】
以下、本発明の実施例について説明する。
図１〜図２は本発明の第１実施例である。
図において、１は湾曲棒体で、直径３ｍｍ程度の鉄線を略半円形状に形成したもので、その両端は小さく内側に折曲されて当接部２が各々設けられる。
３は中央棒体で、直径４ｍｍ程度の鉄線を湾曲棒体の中央上部下面に固着したものであり、その下端は当接部位置より下方に位置している。
本例の使用に際しては、作物に近接させて中央棒体上部を手に持って該棒体下端を地面に押し当てて土中に差し込む。そして、当接部が地面にわずかに入り込む程度の位置にきたとき押し込み作業を停止する。以下、この作業をくり返し行い、複数本の支柱を連設する。
次ぎにこれらの支柱上面に不織布等のシート状物品を覆い被せ、このシート両端には間欠的に土を載せる。
この状態で、一連の作物に沿って湾曲棒体間に作物が位置して支柱が並び、その支柱上面にシートが覆い被さっている。従って、作物近傍空間と外部空間とはシートにて遮断されるので、外気温が低下して霜が発生するときでもシート内空間は外気温ほど温度が下がらず、作物に対する霜の害を防ぐことができる。
なお、シート両端に土を載せているので、風によるシートの移動を防止することができる。また、本例は湾曲棒体下端を小さく折曲して当接部としたが、折曲せずに単に棒体を切断しただけの当接部としても類似の効果を得ることができる。
【０００６】
図３〜図４は本発明の第２実施例を示すもので、前例が鉄線にて支柱を形成したのに対し、本例は合成樹脂板体にて支柱を形成したものである。
図に示すように本例は全体を板体形状に形成し、中央棒体下端および当接部を先鋭形状に設けており、前例同様の効果を得ることができる。
図５〜図７は本発明の第３実施例を示すもので、前例が平板形状であるのに対し、本例は棒体側面に凹部を設けて断面を略Ｈ形状としたもので、押圧に対する強度が増すよう配慮したもので、効果は同様である。
本発明の概要については既述したが、本発明は従来の湾曲棒体に加えて中央棒体を設けたところにその特徴がある。そのために、従来のように二度手間ではなく単に中央棒体を地中に差し込むだけで支柱固定ができるのである。
また、湾曲棒体下端に当接部を設けたので、差込深さを一定にすることができ、均一な固定が可能となった。
本発明は、湾曲棒体の上部を押すことで地中に差し込むことができるため、従来法のようにかがまずとも立った状態で作業することができる。そして多数本の本発明支柱を他方の手で抱えて運びながら作業ができるので、従来方式に比べて格段の作業能率を得ることができる。
以上のごとく、本発明によって能率よく整った支柱固定作業をすることができる。
【０００７】
【発明の効果】
本発明によれば、湾曲棒体下端に当接部を設け、該棒体中央に中央棒体を設けてこの中央棒体を土中に差し込むことにより、支柱位置保持が行えるよう形成されているので、従来の支柱のように二度手間ではなく一度で差し込むことができる。また、湾曲棒体下端の当接部の作用により、土中に差し込む深さを均一化することができて、支柱立設作業の容易性、立設深さの均一化を図ることのできる有用なる物品を提供することができる。
【図面の簡単な説明】
【図１】本発明の第１実施例の平面図
【図２】本発明の第１実施例の正面図
【図３】本発明の第２実施例の平面図
【図４】本発明の第２実施例の正面図
【図５】本発明の第３実施例の平面図
【図６】本発明の第３実施例の正面図
【図７】Ａ−Ａ拡大断面図
【図８】本発明の第１実施例の使用状態説明図
【図９】本発明の第３実施例の使用状態説明図
【図１０】従来方式の使用状態説明図
【符号の説明】
１  湾曲棒体
２  当接部
３  中央棒体
４  湾曲棒体
５  当接部
６  中央棒体
７  湾曲棒体
８  当接部
９  中央棒体
１０  凹部
１１  不織布シート
１２  湾曲棒体
【図１】
2004248651.tif 000003
【図２】
2004248651.tif 000004
【図３】
2004248651.tif 000005
【図４】
2004248651.tif 000006
【図５】
2004248651.tif 000007
【図６】
2004248651.tif 000008
【図７】
2004248651.tif 000009
【図８】
2004248651.tif 000010
【図９】
2004248651.tif 000011
【図１０】
2004248651.tif 000012